(57)【要約】【課題】画像の表示サイズが表示装置の表示領域よりも大きい場合であっても、ユーザに、画像の一部が表示されていないことを直感的に認識させる。【解決手段】表示装置に画像信号を出力する画像出力装置が、画像制御部と、オブジェクト制御部と、を備える。画像制御部は、画像信号に基づく画像を表示装置に表示させる。オブジェクト制御部は、画像の表示サイズが表示装置の表示領域よりも大きいことを視認させるためのオブジェクトを表示装置に表示させる。【選択図】図９Ａ
2014202979.tif 000002
【特許請求の範囲】
【請求項１】
表示装置に画像信号を出力する画像出力装置であって、
前記画像信号に基づく画像を前記表示装置に表示させる画像制御部と、
前記画像の表示サイズが前記表示装置の表示領域よりも大きいことを視認させるためのオブジェクトを前記表示装置に表示させるオブジェクト制御部と、
を備えることを特徴とする画像出力装置。
【請求項２】
前記オブジェクトは、少なくとも、前記画像の周縁部近傍の部分が前記表示装置の前記表示領域外にあることを視認させるための図形オブジェクトを含むことを特徴とする請求項１に記載の画像出力装置。
【請求項３】
前記図形オブジェクトは、前記画像の周縁部にて交わる少なくとも２つの図形要素を含んで構成されることを特徴とする請求項２に記載の画像出力装置。
【請求項４】
前記オブジェクト制御部は、前記図形オブジェクトを前記画像の周縁部よりも内側に表示させることを特徴とする請求項２又は請求項３に記載の画像出力装置。
【請求項５】
前記表示装置に固有の情報を格納する記憶部と、
前記画像の表示サイズを調整するための表示調整部と、
をさらに備え、
前記表示調整部は、前記表示装置の前記表示領域に対する前記画像の調整条件を表示調整情報に設定し、
前記記憶部は前記表示調整情報を前記固有の情報と紐付けて格納することを特徴とする請求項１〜請求項４のいずれかに記載の画像出力装置。
【発明の詳細な説明】
【技術分野】
【０００１】
本発明は、表示装置に画像信号を出力する画像出力装置に関する。
【背景技術】
【０００２】
従来、ＳＴＢ（Set Top Box）などの画像出力装置をテレビジョン受像機に接続して画像を表示させる際、画像の表示サイズが表示画面の表示領域のサイズと一致しない場合がある。たとえば、テレビジョン受像機の表示画面の周縁部近傍に画像が表示されない非表示領域があったりする。このような現象は、表示画面の表示領域の大きさがテレビジョン受像機によって異なるために生じる。そのため、テレビジョン受像機に初めて画像出力装置を接続する際には、たとえば特許文献１のように、接続するテレビジョン受像機に応じて表示画面の表示領域のサイズを調整する必要がある。
【０００３】
特許文献１では、ディスプレイの表示領域の周縁部を示す最外枠と、入力信号に基づく画像の最外枠とを表示し、両者を一致させることにより、表示領域のサイズを調整している。従って、特許文献１では、ディスプレイの表示領域のサイズが、画像の表示サイズよりも大きい場合には、画像のサイズを調整することができる。
【先行技術文献】
【特許文献】
【０００４】
【特許文献１】特開２０００−３０５５３９号公報
【発明の概要】
【発明が解決しようとする課題】
【０００５】
しかしながら、特許文献１では、ディスプレイの表示領域のサイズが画像よりも小さい場合、表示領域に画像の最外枠が表示できない。このような場合、ユーザは画像の最外枠の存在に気付くことができず、画像の一部分が表示されていないことを視認できない。従って、画像の表示サイズが表示画面のサイズとどの程度異なるのかも認識することはできない。
【０００６】
本発明は、このような状況を鑑みてなされたものであり、画像の表示サイズが表示装置の表示領域よりも大きい場合であっても、ユーザに、画像の一部が表示されていないことを直感的に認識させることができる画像出力装置を提供することを目的とする。
【課題を解決するための手段】
【０００７】
上記目的を達成するために、本発明の一の態様に係る画像出力装置は、表示装置に画像信号を出力する画像出力装置であって、画像信号に基づく画像を表示装置に表示させる画像制御部と、画像の表示サイズが表示装置の表示領域よりも大きいことを視認させるためのオブジェクトを表示装置に表示させるオブジェクト制御部と、を備える。
【０００８】
上記構成によれば、表示装置に画像が表示される際、画像の表示サイズが表示装置の表示領域よりも大きいことを視認させるためのオブジェクトを表示する。そのため、表示装置を見るユーザは、画像の一部が表示されていないことを直感的に視認し、画像の調整が必要であることを認識することができる。さらに、ユーザは、画像の表示サイズが表示装置の表示領域のサイズとどの程度異なっているのかも認識することができる。従って、画像の表示サイズが表示装置の表示領域よりも大きい場合であっても、ユーザに、画像の一部が表示されていないことを直感的に認識させることができる。
【０００９】
上記構成の画像出力装置において、オブジェクトは、少なくとも、画像の周縁部近傍の部分が表示装置の表示領域外にあることを視認させるための図形オブジェクトを含んでいてもよい。
【００１０】
この構成によれば、図形オブジェクトを視認したユーザに、画像の周縁部近傍の部分が表示装置に表示されていないことを直感的に認識させることができる。
【００１１】
また、上記構成の画像出力装置において、図形オブジェクトは、画像の周縁部にて交わる少なくとも２つの図形要素を含んで構成されてもよい。
【００１２】
この構成によれば、ユーザに、少なくとも２つの図形要素が交わる点の位置が画像の周縁部の縁辺であることを直感的に認識させることができる。
【００１３】
また、上記構成の画像出力装置において、オブジェクト制御部は、図形オブジェクトを画像の周縁部よりも内側に表示させてもよい。
【００１４】
この構成によれば、画像の表示サイズが表示装置の表示領域よりも大きい場合には、図形オブジェクトの一部が表示されないようにすることができる。従って、図形オブジェクトの一部が表示装置に表示されないことをユーザに視認させることにより、ユーザに画像の表示サイズが表示装置の表示領域よりも大きいことを直感的に認識させ易くすることができる。
【００１５】
また、上記構成の画像出力装置において、表示装置に固有の情報を格納する記憶部と、画像の表示サイズを調整するための表示調整部と、をさらに備え、表示調整部は、表示装置の表示領域に対する画像の調整条件を表示調整情報に設定し、記憶部は表示調整情報を固有の情報と紐付けて格納してもよい。
【００１６】
この構成によれば、表示調整情報が表示装置に固有の情報と紐付されている。そのため、画像出力装置に表示装置を再接続する際、画像の表示調整を再び行う必要なく、表示調整情報に基づいて表示装置に画像の全てを表示させることができる。
【発明の効果】
【００１７】
本発明によれば、画像の表示サイズが表示装置の表示領域よりも大きい場合であっても、ユーザに、画像の一部が表示されていないことを直感的に認識させることができる画像出力装置を提供することができる。
【図面の簡単な説明】
【００１８】
【図１】ＳＴＢを液晶テレビジョンに接続した画像出力システムの外観図である。
【図２】ＳＴＢの構成を示すブロック図である。
【図３】画像の表示調整手順の一例を説明するためのフローチャートである。
【図４】ＳＴＢが出力する画像信号の仮想的な構成例を示す図である。
【図５】液晶テレビジョンの表示画面の仮想的な構成例を示す構成図である。
【図６Ａ】画像の表示サイズが表示画面よりも大きい場合での液晶テレビジョンの表示画面の一例を示す図である。
【図６Ｂ】画像の表示サイズが表示画面の表示領域よりも大きい場合での表示画面の仮想的な構成例を示す図である。
【図７】画像の表示サイズが表示画面の表示領域よりも小さい場合での液晶テレビジョンの表示画面の一例を示す図である。
【図８】表示調整を行う際の液晶テレビジョンの表示画面の一例を示す図である。
【図９Ａ】表示調整を行う際の液晶テレビジョンの表示画面の他の一例を示す図である。
【図９Ｂ】表示調整を行う際の表示画面の仮想的な構成例を示す図である。
【図１０Ａ】シンボル表示の他の形状例を示す図である。
【図１０Ｂ】シンボル表示の他の形状例を示す図である。
【図１０Ｃ】シンボル表示の他の形状例を示す図である。
【図１０Ｄ】シンボル表示の他の形状例を示す図である。
【図１０Ｅ】シンボル表示の他の形状例を示す図である。
【図１０Ｆ】シンボル表示の他の形状例を示す図である。
【図１０Ｇ】シンボル表示の他の形状例を示す図である。
【図１０Ｈ】シンボル表示の他の形状例を示す図である。
【図１０Ｉ】シンボル表示の他の形状例を示す図である。
【図１０Ｊ】シンボル表示の他の形状例を示す図である。
【図１０Ｋ】シンボル表示の他の形状例を示す図である。
【図１１】第２実施形態における液晶テレビジョンの表示画面の一例を示す図である。
【図１２Ａ】第３実施形態における液晶テレビジョンの表示画面の一例を示す図である。
【図１２Ｂ】第３実施形態における液晶テレビジョンの表示画面の仮想的な構成の一例を示す構成図である。
【図１３Ａ】第３実施形態における液晶テレビジョンの表示画面の他の一例を示す図である。
【図１３Ｂ】第３実施形態における液晶テレビジョンの表示画面の仮想的な構成の他の一例を示す構成図である。
【図１４Ａ】第４実施形態における液晶テレビジョンの表示画面の一例を示す図である。
【図１４Ｂ】第４実施形態における液晶テレビジョンの表示画面の仮想的な構成の一例を示す構成図である。
【図１５Ａ】第５実施形態における液晶テレビジョンの表示画面の一例を示す図である。
【図１５Ｂ】第５実施形態における液晶テレビジョンの表示画面の仮想的な構成の一例を示す構成図である。
【図１６Ａ】表示ガイド枠の他の表示例を示す図である。
【図１６Ｂ】表示ガイド枠の他の表示例を示す図である。
【発明を実施するための形態】
【００１９】
以下に、図面を参照して、本発明の実施形態を説明する。
＜第１実施形態＞
【００２０】
図１は、ＳＴＢ（Set Top Box）を液晶テレビジョンに接続した画像出力システムの外観図である。図１に示すように、ＳＴＢ１は液晶テレビジョン２にＨＤＭＩ(登録商標)ケーブル３を介して接続されている。ＳＴＢ１は、画像出力装置の一例であり、アンテナ１１ａ（後述の図２参照）から伝送される放送信号に基づく画像信号及び音声信号を液晶テレビジョン２に出力する。液晶テレビジョン２は、表示装置の一例であり、ＳＴＢ１から出力される画像信号に基づく画像５１を表示画面に表示する。また、液晶テレビジョン２は、ＳＴＢ１から出力される音声信号に基づく音声をスピーカ（不図示）から出力する。
【００２１】
次に、ＳＴＢ１について詳細に説明する。図２は、ＳＴＢの構成を示すブロック図である。図２に示すように、ＳＴＢ１は、チューナ部１１と、入力部１２と、入出力Ｉ／Ｆ１３と、記憶部１４と、制御部１５と、を備えている。このほか、ＳＴＢ１は、ＨＤＤ（Hard Disk Drive）などの記憶装置、光ディスクドライブ装置などを備えていてもよい。
【００２２】
チューナ部１１は、アンテナ１１ａから伝送される放送信号から予め設定されたチャンネルの放送番組を選局し、選局後の放送信号を制御部１５に出力する。
【００２３】
入力部１２は、ＳＴＢ１に搭載されており、ユーザ入力を受け付け、ユーザ入力に基づく入力信号を制御部１５に出力する。この入力部１２は、さらに、リモートコントローラなどの外部入力デバイスと、外部入力デバイスから出力される入力信号を受け付ける信号受信部とを含んでいてもよい。
【００２４】
入出力Ｉ／Ｆ１３は、ＳＴＢ１が外部機器と通信するための通信インターフェースであり、ＨＤＭＩ規格に準拠する通信部（不図示）を含んで構成されている。この入出力Ｉ／Ｆ１３には、図２に示すように、液晶テレビジョン２に接続されたＨＤＭＩケーブル３が接続されている。
【００２５】
記憶部１４は、不揮発性の記録媒体であり、ＳＴＢ１の各部（特に制御部１５）に用いられるプログラム及び制御情報、後述する表示調整用のアプリケーションプログラム、液晶テレビジョン２に表示させる様々なオブジェクトの表示情報などを格納している。また、記憶部１４は、表示調整情報を液晶テレビジョン２に固有のＥＤＩＤ（Extended Display Identification Data）と紐付して格納している。表示調整情報には、液晶テレビジョン２の表示画面（の後述する表示領域２１）に対する画像５１の調整条件が設定されている。この表示調整情報は、ＳＴＢ１が接続される表示装置（液晶テレビジョン２を含む）毎に生成されている。ＥＤＩＤは、機器間認証を行うための識別情報であり、ＳＴＢ１に接続される液晶テレビジョン２の種類及び設定パラメータなどを有している。
【００２６】
制御部１５は、記憶部１４に格納されているプログラム及び制御情報などを用いて、ＳＴＢ１の各部を制御している。制御部１５は、画像制御部１５１と、音声制御部１５２と、オブジェクト制御部１５３と、ＯＳＤ制御部１５４と、表示調整部１５５と、有している。
【００２７】
画像制御部１５１は、チューナ部１１から出力される放送信号に基づく画像信号を生成する。また、画像制御部１５１は、生成した画像信号を入出力Ｉ／Ｆ１３から液晶テレビジョン２に出力し、画像信号に基づく画像５１を液晶テレビジョン２に表示させる。
【００２８】
音声制御部１５２は、チューナ部１１から出力される放送信号に基づく音声信号を生成する。また、音声制御部１５２は、生成した音声信号を入出力Ｉ／Ｆ１３から液晶テレビジョン２に出力し、音声信号に基づく音声を液晶テレビジョン２のスピーカから出力させる。
【００２９】
オブジェクト制御部１５３は、表示ガイド枠Ｇ及びシンボル表示Ｓなどを含むオブジェクトを液晶テレビジョン２に表示させる（後述の図８など参照）。表示ガイド枠Ｇは、画像５１を取り囲む枠状の表示オブジェクトであり、液晶テレビジョン２に表示される画像５１の全周縁部上に配置される。また、シンボル表示Ｓは、画像５１の表示サイズが液晶テレビジョン２の表示画面よりも大きいことをユーザに視認させるための図形オブジェクトである。
【００３０】
ＯＳＤ制御部１５４は、液晶テレビジョン２に表示される画像５１の表示サイズを調節するための表示調整用ＯＳＤ４を液晶テレビジョン２に表示させる（後述の図８など参照）。
【００３１】
表示調整部１５５は、表示調整用ＯＳＤ４の操作入力に基づいて、液晶テレビジョン２における画像５１の表示サイズを調整する。また、表示調整部１５５は、液晶テレビジョン２の表示画面に対する画像５１の表示サイズの調整条件を表示調整情報に設定し、設定後の表示調整情報をＥＤＩＤと紐付けて記憶部１４に格納する。こうすれば、ＳＴＢ１に液晶テレビジョン２を再接続する際、画像５１の表示サイズを再調整する必要なく、表示調整情報に基づいて液晶テレビジョン２に画像５１の全てを表示させることができる。なお、設定後の表示調整情報は、設定前の表示調整情報に上書きで格納されることが望ましい。
【００３２】
次に、液晶テレビジョン２に表示される画像５１の表示調整が行われる手順について説明する。図３は、画像の表示調整手順の一例を説明するためのフローチャートである。
【００３３】
まず、ＨＤＭＩケーブル３を用いてＳＴＢ１が液晶テレビジョン２にＨＤＭＩ接続される（ステップＳ１０１）。ＳＴＢ１及び液晶テレビジョン２が起動されると（ステップＳ１０２）、ＳＴＢ１は液晶テレビジョン２に対応するＥＤＩＤを記憶部１４から読み出す（ステップＳ１０３）。なお、ＥＤＩＤが格納されていない場合（ステップＳ１０３でＮＯ）、ＳＴＢ１は、液晶テレビジョン２に対応するＥＤＩＤを作成する（ステップＳ１０４）。そして、処理はステップＳ１０５に進む。
【００３４】
さらに、ＳＴＢ１はそのＥＤＩＤと紐付された表示調整情報を読み出す（ステップＳ１０５）。なお、紐付された表示調整情報が格納されていない場合（ステップＳ１０５でＮＯ）、ＳＴＢ１は所定の初期設定が成された調整条件を示す表示調整情報を生成し、液晶テレビジョン２に対応するＥＤＩＤと紐付けして記憶部１４に格納する（ステップＳ１０６）。そして、処理はステップＳ１０７に進む。
【００３５】
ユーザ入力に基づいてＳＴＢ１から液晶テレビジョン２に画像信号を出力する際（ステップＳ１０７でＹＥＳ）、ＳＴＢ１は、表示調整情報に設定されている調整条件（すなわち、画像５１の大きさ、表示位置など）を画像信号に設定する（ステップＳ１０８）。そして、ＳＴＢ１は液晶テレビジョン２に画像信号を出力する（ステップＳ１０９）。
【００３６】
液晶テレビジョン２は、ＳＴＢ１から受信した画像信号に基づいて画像５１を表示する（ステップＳ１１０）。このとき、液晶テレビジョン２の視聴者（ユーザ）は、表示調整用のアプリケーションを用いて、ＳＴＢ１に画像５１の表示調整を行わせることができる。
【００３７】
視聴者のユーザ入力により表示調整用のアプリケーションが起動されると（ステップＳ１１１）、ユーザ入力を受け付けたＳＴＢ１は、画像５１に表示調整用のオブジェクトを重畳させた画像信号を液晶テレビジョン２に出力する（ステップＳ１１２）。なお、重畳されるオブジェクトは、表示ガイド枠Ｇ、シンボル表示Ｓ、及び表示調整用ＯＳＤ４などを含んでいる。オブジェクトが重畳された画像信号をＳＴＢ１から受信した液晶テレビジョン２は、画像５１とともに、重畳されたオブジェクトを表示する（ステップＳ１１３）。すなわち、液晶テレビジョン２の表示画面に、表示ガイド枠Ｇ、シンボル表示Ｓ、及び表示調整用ＯＳＤ４などが表示される。このとき、各オブジェクトが重ならないように表示されることが望ましい。
【００３８】
視聴者のユーザ入力により表示調整用ＯＳＤ４が操作されることにより、ＳＴＢ１は、画像５１の表示調整を行う（ステップＳ１１４）。通常、画像５１の表示サイズは表示画面の後述する表示領域２１のサイズとほぼ一致するように調整される。そして、ユーザ入力により表示調整用のアプリケーションが終了すると（Ｓ１１５でＹＥＳ）、図３の処理が終了する。
【００３９】
次に、ＳＴＢ１が出力する画像信号の仮想的な表示構成について説明する。図４は、ＳＴＢが出力する画像信号の仮想的な構成例を示す図である。図４において、破線で囲まれた画像領域５は、画像５１が収められる仮想のフレーム領域である。画像領域５のサイズはＳＴＢ１の画像制御部１５１により予め設定されている。画像領域５のうちの画像５１以外の領域（すなわち、画像領域５の周縁部と画像５１の周縁部との間の領域）は、画像５１のデータのないブランク領域５２（空白領域）となっている。
【００４０】
次に、液晶テレビジョン２の表示画面の仮想的な表示構成について説明する。図５は、液晶テレビジョンの表示画面の仮想的な構成例を示す構成図である。なお、図５では、画像領域５に対する表示画面の大きさを理解し易くするために、画像信号の画像領域５を破線で示している。図５において、表示画面の表示領域２１は、液晶テレビジョン２に画像５１を実際に表示することができる領域である。また、表示領域２１の周縁部と画像領域５の周縁部との間の領域は、画像５１を表示できない非表示領域２２となっている。
【００４１】
次に、液晶テレビジョン２の実際の表示画面について説明する。図６Ａは、画像の表示サイズが表示画面の表示領域よりも大きい場合での液晶テレビジョンの表示画面の一例を示す図である。図６Ｂは、画像の表示サイズが表示画面の表示領域よりも大きい場合での表示画面の仮想的な構成例を示す図である。また、図７は、画像の表示サイズが表示画面の表示領域よりも小さい場合での液晶テレビジョンの表示画面の一例を示す図である。なお、図６Ｂにおいて、非表示領域２２の一部がブランク領域５２と重なっているが、図を見易くするために重なっている非表示領域２２の一部は図示していない。
【００４２】
画像５１の表示サイズが表示領域２１よりも大きい場合、図６Ａ及び図６Ｂに示すように、画像５１の端部近傍の一部分（画像５１の周縁部と表示領域２１の周縁部との間の部分）は、非表示領域２２となるため、表示領域２１には表示されない。このような場合、表示画面を見たユーザは、画像５１の一部分が表示されていないことを視認できず、画像５１の表示サイズが表示画面の表示領域２１のサイズとどの程度異なるのかも認識することはできない。
【００４３】
一方、画像５１の表示サイズが表示領域２１よりも小さい場合、図７に示すように、表示領域２１には画像５１の全てが表示されるが、画像５１のデータのないブランク領域５２も表示される。
【００４４】
次に、表示調整用のアプリケーションが起動される際の表示画面について説明する。図８は、表示調整を行う際の液晶テレビジョンの表示画面の一例を示す図である。図９Ａは、表示調整を行う際の液晶テレビジョンの表示画面の他の一例を示す図であり、図９Ｂは、表示調整を行う際の表示画面の仮想的な構成例を示す図である。なお、図８は画像５１の表示サイズが表示画面の表示領域２１よりも小さい場合の表示画面を示し、図９Ａ及び図９Ｂは画像５１の表示サイズが表示画面の表示領域２１よりも大きい場合の表示画面を示している。
【００４５】
図８、図９Ａ及び図９Ｂに示すように、表示調整用のアプリケーションが起動されると、表示ガイド枠Ｇと、４つのシンボル表示Ｓと、表示調整用ＯＳＤ４と、が表示画面の表示領域２１に表示される。
【００４６】
表示ガイド枠Ｇは画像５１の全周縁部上に破線で配置（表示）される。
【００４７】
また、４つのシンボル表示Ｓは、画像５１の周縁部の各縁辺（又はその上に配置されている表示ガイド枠Ｇ）に接するように配置（表示）される。このように、各シンボル表示Ｓを配置しておけば、たとえば図９Ａ及び図９Ｂのように、画像５１の表示サイズが表示画面よりも大きい場合であっても、表示画面を見るユーザに、画像５１の縁部近傍の一部分が表示されていないことを直感的に視認させることができる。さらに、画像５１の表示調整が必要であることも認識することができる。さらに、ユーザは、画像５１の表示サイズが液晶テレビジョン２の表示領域２１のサイズとどの程度異なっているのかも認識することができる。従って、画像５１の表示サイズが液晶テレビジョン２の表示画面の表示領域２１よりも大きい（広い）ことを直感的にユーザに認識させることができる。
【００４８】
なお、本実施形態では、シンボル表示Ｓが矢印のような形状となっているが、シンボル表示Ｓの形状はこの例に限定されない。図１０Ａ〜図１０Ｋはそれぞれ、シンボル表示の他の形状例を示す図である。図１０Ａ〜図１０Ｋに示すように、各シンボル表示Ｓａ〜Ｓｋの形状は、画像５１の縁部にて交わる少なくとも２つの図形要素ｅを含んで構成されていればよい。言い換えると、少なくとも２つの図形要素ｅは、画像５１の周縁部の縁辺上で交わっていればよい。なお、この交わる状態は交差する状態、及び端点が重なるように接する状態を含んでいる。また、図形要素ｅは、直線状であってよいし、曲線状であってもよい。こうすれば、ユーザに、少なくとも２つの図形要素ｅが交わる点の位置が画像５１の周縁部の縁辺であることを直感的に認識させることができる。このほか、各シンボル表示Ｓは全て同じ形状であってもよいが、その一部又は全部は異なる形状であってもよい。
【００４９】
また、表示調整用ＯＳＤ４は、画像５１の表示サイズを調整するためのＯＳＤオブジェクトであり、表示ガイド枠Ｇ及び各シンボル表示Ｓと重ならない位置に配置（表示）される。この表示調整用ＯＳＤ４は、マーカー４１及びスライドバー４２を含んで構成されている。マーカー４１は、ユーザ入力に応じてスライドバー４２に沿って移動させることができ、その移動量に応じて画像５１の表示サイズが相似的に変化する。たとえば、ユーザがマーカー４１を右側に移動させると、画像５１が一様に拡大される。一方、ユーザがマーカー４１を左側に移動させると、画像５１が一様に縮小される。このように、ユーザは、ユーザ入力によりマーカー４１を移動させることにより、画像５１の大きさが表示画面の表示領域２１の大きさと一致するように、画像５１の表示調整をすることができる。
【００５０】
以上、第１実施形態について説明した。第１実施形態によれば、ＳＴＢ１は、液晶テレビジョン２に画像信号を出力する画像出力装置であり、画像制御部１５１と、オブジェクト制御部１５３と、を備えている。画像制御部１５１は、画像信号に基づく画像５１を液晶テレビジョン２に表示させる。オブジェクト制御部１５３はシンボル表示Ｓを液晶テレビジョン２に表示させる。シンボル表示Ｓは、画像５１が液晶テレビジョン２の表示領域２１よりも大きいことを視認させるための図形オブジェクトである。
【００５１】
この構成によれば、液晶テレビジョン２に画像５１が表示される際、画像５１の表示サイズが液晶テレビジョン２の表示領域２１よりも大きいことを視認させるためのシンボル表示Ｓを表示する。そのため、画像５１が液晶テレビジョン２の表示領域２１よりも大きい場合であっても、液晶テレビジョン２を見るユーザは、画像５１の一部が表示されていないことを直感的に視認し、画像５１の調整が必要であることを認識することができる。さらに、ユーザは、画像５１の表示サイズが液晶テレビジョン２の表示領域２１のサイズとどの程度異なっているのかも認識することができる。従って、画像５１の表示サイズが液晶テレビジョン２の表示領域２１よりも大きい場合であっても、ユーザに、画像５１の一部が表示されていないことを直感的に認識させることができる。
【００５２】
また、第１実施形態のＳＴＢ１において、オブジェクト制御部１５３が表示させるオブジェクトは少なくともシンボル表示Ｓを含んでいる。このシンボル表示Ｓは、画像５１の周縁部近傍の部分が液晶テレビジョン２の表示領域２１外にあることを視認させるための図形オブジェクトである。こうすれば、シンボル表示Ｓを視認したユーザに、画像５１の周縁部近傍の部分が液晶テレビジョン２に表示されていないことをより直感的に認識させることができる。
【００５３】
さらに、シンボル表示Ｓは、画像５１の周縁部にて交わる少なくとも２つの図形要素ｅを含んで構成される。こうすれば、ユーザに、少なくとも２つの図形要素ｅが交わる点の位置が画像５１の周縁部の縁辺であることを直感的に認識させることができる。
【００５４】
また、第１実施形態のＳＴＢ１において、オブジェクト制御部１５３は、シンボル表示Ｓを画像５１の周縁部よりも内側に表示させる。こうすれば、画像５１の表示サイズが液晶テレビジョン２の表示領域２１よりも大きい場合には、シンボル表示Ｓの一部が表示されないようにすることができる。従って、シンボル表示Ｓの一部が液晶テレビジョン２に表示されないことをユーザに視認させることにより、ユーザに画像５１の表示サイズが液晶テレビジョン２の表示領域２１よりも大きいことを直感的に認識させ易くすることができる。
【００５５】
また、第１実施形態のＳＴＢ１は、ＥＤＩＤなどの液晶テレビジョン２に固有の情報を格納する記憶部１４と、画像５１の表示サイズを調整するための表示調整部１５５と、をさらに備える。表示調整部１５５は、液晶テレビジョン２の表示領域２１に対する画像５１の調整条件を表示調整情報に設定する。また、記憶部１４は表示調整情報をＥＤＩＤと紐付けて格納する。この構成では、表示調整情報がＥＤＩＤのような液晶テレビジョン２に固有の情報と紐付されている。そのため、ＳＴＢ１に液晶テレビジョン２を再接続する際、画像５１の表示調整を再び行う必要なく、表示調整情報に基づいて液晶テレビジョン２に画像５１の全てを表示させることができる。
＜第２実施形態＞
【００５６】
次に、第２実施形態について説明する。第２実施形態では、表示調整用のアプリケーションが起動されると、２つの表示調整用ＯＳＤ４ａ、４ｂが表示される。これ以外は、第１実施形態と同様である。以下では、第１実施形態と異なる構成について説明する。また、第１実施形態と同様の構成部には同じ符合を付し、その説明を省略する。
【００５７】
図１１は、第２実施形態における液晶テレビジョンの表示画面の一例を示す図である。図１１に示すように、ユーザ入力により画像５１の表示調整が行われる際、表示画面の表示領域２１には、第１及び第２表示調整用ＯＳＤ４ａ、４ｂが表示される。第１表示調整用ＯＳＤ４ａは画像５１の水平方向の表示サイズを調節するためのＯＳＤオブジェクトである。また、第２表示調整用ＯＳＤ４ｂは画像５１の垂直方向の表示サイズを調節するためのＯＳＤオブジェクトである。
【００５８】
たとえば、図１１では、ユーザが第１表示調整用ＯＳＤ４ａのマーカー４１ａをスライドバー４２ａに沿って右側に移動させると画像５１の水平方向の表示サイズが拡大される。一方、左側に移動させると画像５１の水平方向の表示サイズが縮小される。また、ユーザが第２表示調整用ＯＳＤ４ｂのマーカー４１ｂをスライドバー４２ｂに沿って上側に移動させると画像５１の垂直方向の表示サイズが拡大される。一方、下側に移動させると画像５１の垂直方向の表示サイズが縮小される。
【００５９】
このように、第１及び第２表示調整用ＯＳＤ４ａ、４ｂを別々に操作することにより、画像５１の水平方向の表示サイズと垂直方向の表示サイズとを別々に調整することができる。従って、表示画面の表示領域２１とは縦横の表示サイズ比が異なる画像５１を表示させる場合、全画像５１を表示画面の表示領域２１の全体に表示（フルスクリーン表示）させることができる。或いは、画像５１の水平方向及び垂直方向の一方が表示画面の表示領域２１からはみ出ない（すなわち非表示とならない）ように、画像５１を表示させることもできる。
＜第３実施形態＞
【００６０】
次に、第３実施形態について説明する。第３実施形態では、各シンボル表示Ｓが画像５１（又はその上に表示されている表示ガイド枠Ｇ）の各角部（隅部）に接するように表示される。これ以外は、第１及び第２実施形態と同様である。以下では、第１及び第２実施形態と異なる構成について説明する。また、第１及び第２実施形態と同様の構成部には同じ符合を付し、その説明を省略する。
【００６１】
図１２Ａは、第３実施形態における液晶テレビジョンの表示画面の一例を示す図である。また、図１２Ｂは、第３実施形態における液晶テレビジョンの表示画面の仮想的な構成の一例を示す構成図である。なお、図１２Ａ及び図１２Ｂは、画像５１の表示サイズが表示画面の表示領域２１よりも大きい場合を示している。
【００６２】
図１２Ａ及び図１２Ｂに示すように、ユーザ入力により画像５１の表示調整が行われる際、４つのシンボル表示Ｓが画像５１（又はその上に配置されている表示ガイド枠Ｇ）の全ての角に接するように配置される。こうすれば、各シンボル表示Ｓを表示画面の表示領域２１に配置したとき、たとえば各シンボル表示Ｓを画像５１の周縁部の各縁辺の中央付近に配置する場合（たとえば図９Ａ参照）よりも画像５１が見え易くすることができる。従って、ユーザは、たとえば放送番組などの画像５１を視聴しながら、ストレスなく、画像５１の表示調整を行うことができる。
【００６３】
なお、表示画面の表示領域２１に表示されるシンボル表示Ｓの配置及び数は、図１２Ａの例に限定されない。図１３Ａは、第３実施形態における液晶テレビジョンの表示画面の他の一例を示す図である。また、図１３Ｂは、第３実施形態における液晶テレビジョンの表示画面の仮想的な構成の他の一例を示す構成図である。図１３Ａ及び図１３Ｂに示すように、ユーザ入力により画像５１の表示調整が行われる際、２つのシンボル表示Ｓが画像５１（又はその上に配置されている表示ガイド枠Ｇ）の対角線上で対向する２つの角に接するように配置されてもよい。このようにしても、シンボル表示Ｓの配置により画像５１をより見え易くすることができるとともに、画像５１の水平方向及び垂直方向の表示サイズをどこまで調整すればよいかをユーザに理解させることもできる。
＜第４実施形態＞
【００６４】
次に、第４実施形態について説明する。第４実施形態では、オブジェクト制御部１５３により液晶テレビジョン２に表示される表示調整用のオブジェクトが距離通知枠Ｆを含む。これ以外は、第１及び第２実施形態と同様である。以下では、第１及び第２実施形態と異なる構成について説明する。また、第１及び第２実施形態と同様の構成部には同じ符合を付し、その説明を省略する。
【００６５】
図１４Ａは、第４実施形態における液晶テレビジョンの表示画面の一例を示す図である。また、図１４Ｂは、第４実施形態における液晶テレビジョンの表示画面の仮想的な構成の一例を示す構成図である。なお、図１４Ａ及び図１４Ｂは、画像５１の表示サイズが表示画面の表示領域２１よりも大きい場合を示している。
【００６６】
図１４Ａ及び図１４Ｂに示すように、画像５１の周縁部近傍の内側領域には、表示色又は表示模様が異なる３つの枠オブジェクトＦ１〜Ｆ３を含んで構成される枠距離通知枠Ｆが表示される。なお、枠オブジェクトの数は、特に限定されず、１又は複数であればよい。こうすれば、画像５１の表示サイズが表示画面の表示領域２１よりも大きい場合であっても、図１４Ａのような実際の表示画面を見るユーザに、画像５１の縁部近傍の一部分が表示されていないことを直感的に視認させることができる。さらに、ユーザは、どの枠オブジェクトが表示されているのかを視認することにより、画像５１の表示サイズが表示領域２１のサイズとどの程度異なっているのかも容易に推測することができる。すなわち、画像５１の周縁部近傍の部分がどの程度表示されていないのかも容易に認識することができる。
【００６７】
なお、各枠オブジェクトＦ１〜Ｆ３は、非透過色で表示されていてもよいが、透過色で表示されることが望ましい。こうすれば、枠距離通知枠Ｆを表示しても、画像５１が見えにくくなることを抑制することができる。また、各枠オブジェクトＦ１〜Ｆ３における枠の幅Ｗ１〜Ｗ３（すなわち画像の周縁部から中央に向かう方向の幅）は、それぞれ異なっていてもよいが、それぞれ等しいことが望ましい。こうすれば、ユーザは、どの枠オブジェクトが表示されているのかを視認することにより、画像５１の表示サイズが表示領域２１のサイズとどの程度異なっているのかをより容易に推測することができる。このほか、図１４Ａ及び図１４Ｂにおいて、距離通知枠Ｆは、シンボル表示Ｓに代えて表示されているが、この例に限定されず、シンボル表示Ｓを含む他の表示調整用のオブジェクトとともに配置（表示）されていてもよい。
＜第５実施形態＞
【００６８】
次に、第５実施形態について説明する。第５実施形態では、オブジェクト制御部１５３により液晶テレビジョン２に表示される表示調整用のオブジェクトが距離通知目盛Ｒを含む。これ以外は、第１及び第２実施形態と同様である。以下では、第１及び第２実施形態と異なる構成について説明する。また、第１及び第２実施形態と同様の構成部には同じ符合を付し、その説明を省略する。
【００６９】
図１５Ａは、第５実施形態における液晶テレビジョンの表示画面の一例を示す図である。また、図１５Ｂは、第５実施形態における液晶テレビジョンの表示画面の仮想的な構成の一例を示す構成図である。なお、図１５Ａ及び図１５Ｂは、画像５１の表示サイズが表示画面の表示領域２１よりも大きい場合を示している。
【００７０】
図１５Ａ及び図１５Ｂに示すように、画像５１の周縁部の各縁辺には、その内側に、距離通知目盛Ｒが配置（表示）される。各距離通知目盛Ｒの各目盛は、画像５１の周縁部から中央に向かう方向の距離を示している。こうすれば、画像５１の表示サイズが表示画面の表示領域２１よりも大きい場合であっても、図１５Ａのような実際の表示画面を見るユーザに、画像５１の縁部近傍の一部分が表示されていないことを直感的に視認させることができる。さらに、ユーザは、各距離通知目盛Ｒがどこまで視認できるかに応じて、画像５１の表示サイズが表示領域２１のサイズとどの程度異なっているのかも容易に推測することができる。すなわち、画像５１の周縁部が表示領域２１の周縁部からどの程度離れているかも容易に推測することができる。
【００７１】
なお、図１５Ａ及び図１５Ｂにおいて、距離通知目盛Ｒは、シンボル表示Ｓに代えて配置（表示）されているが、この例に限定されず、シンボル表示Ｓを含む他の表示調整用のオブジェクトとともに配置されていてもよい。
【００７２】
以上、本発明の実施形態について説明した。なお、上述の実施形態は例示であり、その各構成要素や各処理の組み合わせに色々な変形が可能であり、本発明の範囲にあることは当業者に理解されるところである。
【００７３】
たとえば、上述の実施形態では、表示調整情報をＥＤＩＤと紐付しているが、本発明の適用範囲はこの例に限定されない。表示調整情報が紐付される情報は液晶テレビジョン２に固有の情報であればよい。
【００７４】
また、上述の実施形態では、画像制御部１５１、音声制御部１５２、オブジェクト制御部１５３、ＯＳＤ制御部１５４、及び表示調整部１５５は、制御部１５の機能部として実現されているが、本発明の適用範囲はこの例に限定されない。これらの機能部は、物理的な構成部（たとえば電気回路など）により実現されていてもよい。さらに、これらの機能部の少なくとも一部が他の構成部とは異なる独立した構成部であってもよい。
【００７５】
また、上述の実施形態では、表示ガイド枠Ｇが破線で表示されているが、表示ガイド枠Ｇの線の種類は特に限定されない。たとえば、表示ガイド枠Ｇは実線或いは一点鎖線などで表示されてもよい。また、表示ガイド枠Ｇの線の色、太さなども特には限定されない。さらに、上述の実施形態では、画像５１の全周縁部上に表示ガイド枠Ｇが表示されているが、本発明の適用範囲はこの例に限定されない。表示ガイド枠Ｇは、画像５１の周縁部の一部（たとえば、図１６Ａのように４隅近傍、あるいは、図１６Ｂのように周縁部の各縁辺の一部）の上に表示されていてもよい。
【００７６】
また、上述の実施形態では、ＳＴＢ１を例に説明したが、本発明の適用範囲はこの例に限定されない。本発明の画像出力装置は、たとえば、ＢＤレコーダ、ＤＶＤレコーダ、ＨＤＤレコーダなどのディスク装置、チューナ装置、ホームターミナル装置などにも広く適用可能である。
【符号の説明】
【００７７】
１          ＳＴＢ
１１        チューナ部
１１ａ          アンテナ
１２          入力部
１３          入出力Ｉ／Ｆ
１４          記憶部
１５          制御部
１５１          画像制御部
１５２          音声制御部
１５３          オブジェクト制御部
１５４          ＯＳＤ制御部
１５５          表示調整部
２          液晶テレビジョン
２１          表示画面の表示領域
２２          非表示領域
３          ＨＤＭＩケーブル
４、４ａ、４ｂ    表示調整用ＯＳＤ
４１、４１ａ、４１ｂ      マーカー
４２、４２ａ、４２ｂ      スライドバー
５          画像信号の画像領域
５１        画像
５２        ブランク領域
Ｇ          表示ガイド枠
Ｓ、Ｓａ〜Ｓｋ          シンボル表示
ｅ          図形要素
Ｆ          距離通知枠
Ｆ１〜Ｆ３    枠オブジェクト
Ｒ          距離通知目盛
【図２】
2014202979.tif 000003
【図３】
2014202979.tif 000004
【図４】
2014202979.tif 000005
【図５】
2014202979.tif 000006
【図６Ｂ】
2014202979.tif 000007
【図９Ｂ】
2014202979.tif 000008
【図１０Ａ】
2014202979.tif 000009
【図１０Ｂ】
2014202979.tif 000010
【図１０Ｃ】
2014202979.tif 000011
【図１０Ｄ】
2014202979.tif 000012
【図１０Ｅ】
2014202979.tif 000013
【図１０Ｆ】
2014202979.tif 000014
【図１０Ｇ】
2014202979.tif 000015
【図１０Ｈ】
2014202979.tif 000016
【図１０Ｉ】
2014202979.tif 000017
【図１０Ｊ】
2014202979.tif 000018
【図１０Ｋ】
2014202979.tif 000019
【図１２Ｂ】
2014202979.tif 000020
【図１３Ｂ】
2014202979.tif 000021
【図１４Ｂ】
2014202979.tif 000022
【図１５Ｂ】
2014202979.tif 000023
【図１】
2014202979.tif 000024
【図６Ａ】
2014202979.tif 000025
【図７】
2014202979.tif 000026
【図８】
2014202979.tif 000027
【図９Ａ】
2014202979.tif 000028
【図１１】
2014202979.tif 000029
【図１２Ａ】
2014202979.tif 000030
【図１３Ａ】
2014202979.tif 000031
【図１４Ａ】
2014202979.tif 000032
【図１５Ａ】
2014202979.tif 000033
【図１６Ａ】
2014202979.tif 000034
【図１６Ｂ】
2014202979.tif 000035